(57)【要約】      （修正有）【課題】センサによる計測結果を画面に表示する構成において、センサの計測結果を表示側で取得できなくなった状況においてユーザを支援することが可能なセンサ管理装置、センサ、監視システム、センサ管理方法、センサ管理プログラム、監視方法および監視プログラムを提供する。【解決手段】センサ管理装置１２は、センサ１１による計測結果を示すセンサ情報を受信する受信部と、受信されたセンサ情報の示す計測結果とセンサとを対応付けた画面１３を表示する制御を行う表示制御部とを備え、表示制御部は、センサ情報を受信部が受信できなくなったセンサを認識可能となるように画面の表示内容を変更する制御を行う。さらに、受信部によって受信された計測結果とは異なる内容を示す情報である、センサのバッテリの蓄電残量に関するバッテリ情報、およびセンサと自己のセンサ管理装置との通信品質を示す通信品質情報に基づいて原因を判断する判断部を備える。【選択図】図１
2018129091.tif 000002
【特許請求の範囲】
【請求項１】
センサによる計測結果を示すセンサ情報を受信する受信部と、
前記受信部によって受信された前記センサ情報の示す前記計測結果と前記センサとを対応付けた画面を表示する制御を行う表示制御部とを備え、
前記表示制御部は、前記センサ情報を前記受信部が受信できなくなった原因をさらに示す前記画面を表示する制御を行い、
さらに、
前記受信部によって受信された、前記計測結果とは異なる内容を示す情報である、前記センサのバッテリの蓄電残量に関するバッテリ情報、および前記センサと自己のセンサ管理装置との通信品質を示す通信品質情報に基づいて前記原因を判断する判断部を備え、
前記判断部は、前記バッテリ情報が、前記蓄電残量が少ないことを示しておらず、かつ前記通信品質情報が前記通信品質の悪いことを示していない場合、前記原因は、前記センサが故障しているか、または不明であると判断する、センサ管理装置。
【請求項２】
前記表示制御部は、前記センサ情報を前記受信部が受信できなくなった前記センサを認識可能となるように前記画面の表示内容を変更する制御を行う、請求項１に記載のセンサ管理装置。
【請求項３】
前記表示制御部は、前記センサ情報を前記受信部が受信できなくなった前記センサと前記計測結果とを対応付けた内容を前記画面から削除する制御を行う、請求項２に記載のセンサ管理装置。
【請求項４】
前記受信部は、さらに、前記センサの電源がオフされた旨を示すオフ情報を前記センサから受信し、
前記表示制御部は、前記受信部によって前記オフ情報が受信された場合、前記原因として、前記センサの電源がオフされた旨を示す前記画面を表示する制御を行う、請求項１から請求項３のいずれか１項に記載のセンサ管理装置。
【請求項５】
前記判断部は、さらに、前記センサと自己のセンサ管理装置との通信品質を判断し、
前記表示制御部は、前記判断部によって前記通信品質が悪いと判断された場合、前記原因として前記通信品質が悪い旨を示す前記画面を表示する制御を行う、請求項１から請求項４のいずれか１項に記載のセンサ管理装置。
【請求項６】
前記受信部は、さらに、前記センサのバッテリの蓄電残量に関するバッテリ情報を前記センサから受信し、
前記表示制御部は、前記蓄電残量が少ないことを示す前記バッテリ情報が前記受信部によって受信された場合、前記原因として前記蓄電残量が少ない旨を示す前記画面を表示する制御を行う、請求項１から請求項５のいずれか１項に記載のセンサ管理装置。
【請求項７】
前記表示制御部は、前記原因として前記センサが故障している旨を示すか、または前記原因の代わりに、前記原因が不明である旨を示す前記画面を表示する制御を行う、請求項１から請求項６のいずれか１項に記載のセンサ管理装置。
【請求項８】
前記表示制御部は、前記センサ情報を前記受信部が受信できなくなった前記センサの識別情報のリストをさらに示す前記画面を表示する制御を行う、請求項１から請求項７のいずれか１項に記載のセンサ管理装置。
【請求項９】
前記表示制御部は、前記センサ情報を前記受信部が再び受信できるようになった前記センサに関する前記画面の表示内容を変更前に戻す制御を行う、請求項２に記載のセンサ管理装置。
【請求項１０】
センサと、
センサ管理装置とを備え、
前記センサは、自己の計測結果を示すセンサ情報を前記センサ管理装置へ送信し、
前記センサ管理装置は、前記センサから送信された前記センサ情報を受信し、受信した前記センサ情報の示す前記計測結果と前記センサとを対応付けた画面を表示する制御を行い、前記センサ情報を受信できなくなった原因をさらに示す前記画面を表示する制御を行い、
前記センサ管理装置は、受信した、前記計測結果とは異なる内容を示す情報である、前記センサのバッテリの蓄電残量に関するバッテリ情報、および前記センサと自己のセンサ管理装置との通信品質を示す通信品質情報に基づいて前記原因を判断し、
前記センサ管理装置は、前記バッテリ情報が、前記蓄電残量が少ないことを示しておらず、かつ前記通信品質情報が前記通信品質の悪いことを示していない場合、前記原因は、前記センサが故障しているか、または不明であると判断する、監視システム。
【請求項１１】
センサ管理装置におけるセンサ管理方法であって、
センサによる計測結果を示すセンサ情報を受信するステップと、
受信した前記センサ情報の示す前記計測結果と前記センサとを対応付けた画面を表示する制御を行うステップと、
前記計測結果とは異なる内容を示す情報である、前記センサのバッテリの蓄電残量に関するバッテリ情報、および前記センサと自己のセンサ管理装置との通信品質を示す通信品質情報を受信するステップと、
前記バッテリ情報が、前記蓄電残量が少ないことを示しておらず、かつ前記通信品質情報が前記通信品質の悪いことを示していない場合、前記センサ情報を受信できなくなった原因は、前記センサが故障しているか、または不明であると判断するステップと、
前記原因をさらに示す前記画面を表示する制御を行うステップとを含む、センサ管理方法。
【請求項１２】
センサ管理装置において用いられるセンサ管理プログラムであって、コンピュータに、
センサによる計測結果を示すセンサ情報を受信するステップと、
受信した前記センサ情報の示す前記計測結果と前記センサとを対応付けた画面を表示する制御を行うステップと、
前記計測結果とは異なる内容を示す情報である、前記センサのバッテリの蓄電残量に関するバッテリ情報、および前記センサと自己のセンサ管理装置との通信品質を示す通信品質情報を受信するステップと、
前記バッテリ情報が、前記蓄電残量が少ないことを示しておらず、かつ前記通信品質情報が前記通信品質の悪いことを示していない場合、前記センサ情報を受信できなくなった原因は、前記センサが故障しているか、または不明であると判断するステップと、
前記原因をさらに示す前記画面を表示する制御を行うステップとを実行させるための、センサ管理プログラム。
【発明の詳細な説明】
【技術分野】
【０００１】
本発明は、センサ管理装置、センサ、監視システム、センサ管理方法、センサ管理プログラム、監視方法および監視プログラムに関し、特に、センサによる計測結果を画面に表示する制御を行うセンサ管理装置、センサ、監視システム、センサ管理方法、センサ管理プログラム、監視方法および監視プログラムに関する。
【背景技術】
【０００２】
所定エリアの状態をモニタするための技術が各種開発されている。たとえば、特許第５４５６４１４号公報（特許文献１）には、以下のような技術が開示されている。すなわち、エリア監視用の表示方法は、監視対象エリア内の各所に配した複数のセンサで、少なくとも一種類の所要の事象に関する値あるいはその変化値を測定し、該測定で得たデータを処理して処理結果をモニタ画面上に表示するエリア監視用の表示方法であって、前記監視対象エリアを示すエリア表示に、前記処理結果の表示を重ねて表示するとともに、前記モニタ画面での前記エリア表示上における前記処理結果の表示位置を、該処理結果を得た前記センサの配置箇所に対応あるいはほぼ対応する位置としてなるエリア監視用の表示方法において、前記処理結果の表示形態に円形々状を用い、該表示する円形々状は、その中心が測定地点を表示し、その大きさが測定値の大きさ（絶対値）を表し、その色を半透明とし、前記処理結果の表示が、前記監視対象エリアの表示上での測定地点に重なり合って表示される視認可能な半透明なものとする。
【先行技術文献】
【特許文献】
【０００３】
【特許文献１】特許第５４５６４１４号公報
【発明の概要】
【発明が解決しようとする課題】
【０００４】
上記のような技術において、あるセンサからの計測結果が何らかの原因により表示側で取得できなくなる場合がある。
【０００５】
しかしながら、特許文献１には、このような問題点を解決するための構成は開示されていない。
【０００６】
この発明は、上述の課題を解決するためになされたもので、その目的は、センサによる計測結果を画面に表示する構成において、センサの計測結果を表示側で取得できなくなった状況においてユーザを支援することが可能なセンサ管理装置、センサ、監視システム、センサ管理方法、センサ管理プログラム、監視方法および監視プログラムを提供することである。
【課題を解決するための手段】
【０００７】
（１）上記課題を解決するために、この発明のある局面に係るセンサ管理装置は、センサによる計測結果を示すセンサ情報を受信する受信部と、前記受信部によって受信された前記センサ情報の示す前記計測結果と前記センサとを対応付けた画面を表示する制御を行う表示制御部とを備え、前記表示制御部は、前記センサ情報を前記受信部が受信できなくなった前記センサを認識可能となるように前記画面の表示内容を変更する制御を行う。
【０００８】
（１０）上記課題を解決するために、この発明のある局面に係るセンサは、計測を行う計測部と、前記計測部による計測結果を示すセンサ情報を、前記センサ情報の示す前記計測結果と前記センサとを対応付けた画面を表示する制御を行うことが可能なセンサ管理装置へ送信する処理を行う送信処理部とを備え、前記送信処理部は、さらに、自己のセンサの電源がオフされた旨を示すオフ情報と自己のセンサの識別情報とを前記センサ管理装置へ送信する処理を行う。
【０００９】
（１１）上記課題を解決するために、この発明のある局面に係る監視システムは、センサと、センサ管理装置とを備え、前記センサは、自己の計測結果を示すセンサ情報を前記センサ管理装置へ送信し、前記センサ管理装置は、前記センサから送信された前記センサ情報を受信し、受信した前記センサ情報の示す前記計測結果と前記センサとを対応付けた画面を表示する制御を行い、前記センサ管理装置は、前記センサ情報を自己が受信できなくなった前記センサを認識可能となるように前記画面の表示内容を変更する制御を行う。
【００１０】
（１２）上記課題を解決するために、この発明のある局面に係るセンサ管理方法は、センサ管理装置におけるセンサ管理方法であって、センサによる計測結果を示すセンサ情報を受信するステップと、受信した前記センサ情報の示す前記計測結果と前記センサとを対応付けた画面を表示する制御を行うステップと、前記センサ情報を受信できなくなった前記センサを認識可能となるように前記画面の表示内容を変更する制御を行うステップとを含む。
【００１１】
（１３）上記課題を解決するために、この発明のある局面に係るセンサ管理プログラムは、センサ管理装置において用いられるセンサ管理プログラムであって、コンピュータに、センサによる計測結果を示すセンサ情報を受信するステップと、受信した前記センサ情報の示す前記計測結果と前記センサとを対応付けた画面を表示する制御を行うステップと、前記センサ情報を受信できなくなった前記センサを認識可能となるように前記画面の表示内容を変更する制御を行うステップとを実行させるためのプログラムである。
【００１２】
（１４）上記課題を解決するために、この発明のある局面に係る監視方法は、センサにおける監視方法であって、計測を行うステップと、計測結果を示すセンサ情報を、前記センサ情報の示す前記計測結果と前記センサとを対応付けた画面を表示する制御を行うことが可能なセンサ管理装置へ送信する処理を行うステップと、前記センサの電源がオフされた旨を示すオフ情報と前記センサの識別情報とを前記センサ管理装置へ送信するステップとを含む。
【００１３】
（１５）上記課題を解決するために、この発明のある局面に係る監視プログラムは、センサにおいて用いられる監視プログラムであって、コンピュータに、計測を行うステップと、計測結果を示すセンサ情報を、前記センサ情報の示す前記計測結果と前記センサとを対応付けた画面を表示する制御を行うことが可能なセンサ管理装置へ送信する処理を行うステップと、前記センサの電源がオフされた旨を示すオフ情報と前記センサの識別情報とを前記センサ管理装置へ送信するステップとを実行させるためのプログラムである。
【００１４】
本発明は、このような特徴的な処理部を備えるセンサ管理装置として実現することができるだけでなく、センサ管理装置の一部または全部を実現する半導体集積回路として実現することができる。
【発明の効果】
【００１５】
本発明によれば、センサによる計測結果を画面に表示する構成において、センサの計測結果を表示側で取得できなくなった状況においてユーザを支援することができる。
【図面の簡単な説明】
【００１６】
【図１】図１は、本発明の実施の形態に係る監視システムの構成を示す図である。
【図２】図２は、本発明の実施の形態に係る監視システムにおけるディスプレイに表示された画面の一例を示す図である。
【図３】図３は、本発明の実施の形態に係る監視システムにおけるディスプレイに表示された画面の他の例を示す図である。
【図４】図４は、本発明の実施の形態に係る監視システムにおけるディスプレイに表示された画面のボタン表示エリアＡｄの他の例を示す図である。
【図５】図５は、本発明の実施の形態に係る監視システムにおけるディスプレイに表示された画面のボタン表示エリアＡｄの他の例を示す図である。
【図６】図６は、本発明の実施の形態に係る監視システムにおける画面表示処理のシーケンスの一例を示す図である。
【図７】図７は、本発明の実施の形態に係る監視システムにおける画面表示処理のシーケンスの他の例を示す図である。
【図８】図８は、本発明の実施の形態に係るセンサ管理装置の構成を示す図である。
【図９】図９は、本発明の実施の形態に係る監視システムにおけるセンサの構成を示す図である。
【発明を実施するための形態】
【００１７】
最初に、本発明の実施の形態の内容を列記して説明する。
【００１８】
（１）本発明の実施の形態に係るセンサ管理装置は、センサによる計測結果を示すセンサ情報を受信する受信部と、前記受信部によって受信された前記センサ情報の示す前記計測結果と前記センサとを対応付けた画面を表示する制御を行う表示制御部とを備え、前記表示制御部は、前記センサ情報を前記受信部が受信できなくなった前記センサを認識可能となるように前記画面の表示内容を変更する制御を行う。
【００１９】
このような構成により、たとえば、センサ管理装置へのセンサ情報の伝送が停止したセンサと、当該伝送が継続しているセンサとをユーザが容易に識別することができる。また、たとえば、ユーザは、センサからのセンサ情報の伝送が停止した場合に、伝送が停止した原因の調査等、当該センサを復旧させるために必要な作業に速やかに取り掛かることができるため、当該センサによる計測結果を取得できない期間を短縮することができる。したがって、センサによる計測結果を画面に表示する構成において、センサの計測結果を表示側で取得できなくなった状況においてユーザを支援することができる。
【００２０】
（２）好ましくは、前記表示制御部は、前記センサ情報を前記受信部が受信できなくなった前記センサと前記計測結果とを対応付けた内容を前記画面から削除する制御を行う。
【００２１】
このような構成により、たとえば、センサ管理装置へのセンサ情報の伝送が継続しているセンサをユーザに認識させることができ、また、画面表示が煩雑になっている場合には、煩雑さを解消することができる。
【００２２】
（３）好ましくは、前記表示制御部は、前記センサ情報を前記受信部が受信できなくなった原因をさらに示す前記画面を表示する制御を行う。
【００２３】
このような構成により、たとえば、ユーザは、センサからのセンサ情報の伝送が停止した原因を自ら調査することなく容易に把握することができるため、センサ情報の伝送の復旧を効率的に行うことができる。
【００２４】
（４）より好ましくは、前記受信部は、さらに、前記センサの電源がオフされた旨を示すオフ情報を前記センサから受信し、前記表示制御部は、前記受信部によって前記オフ情報が受信された場合、前記原因として、前記センサの電源がオフされた旨を示す前記画面を表示する制御を行う。
【００２５】
このような構成により、ユーザは、センサからのセンサ情報の伝送が停止した原因が、当該センサの電源がオフされたことであることを容易に把握することができる。
【００２６】
（５）より好ましくは、前記センサ管理装置は、さらに、前記センサと自己のセンサ管理装置との通信品質を判断する判断部を備え、前記表示制御部は、前記判断部によって前記通信品質が悪いと判断された場合、前記原因として前記通信品質が悪い旨を示す前記画面を表示する制御を行う。
【００２７】
このような構成により、ユーザは、センサからのセンサ情報の伝送が停止した原因が、当該センサとセンサ管理装置との通信品質の悪化であることを容易に把握することができる。
【００２８】
（６）より好ましくは、前記受信部は、さらに、前記センサのバッテリの蓄電残量に関するバッテリ情報を前記センサから受信し、前記表示制御部は、前記蓄電残量が少ないことを示す前記バッテリ情報が前記受信部によって受信された場合、前記原因として前記蓄電残量が少ない旨を示す前記画面を表示する制御を行う。
【００２９】
このような構成により、ユーザは、センサからのセンサ情報の伝送が停止した原因が、当該センサにおけるバッテリの蓄電残量の不足であることを容易に把握することができる。
【００３０】
（７）より好ましくは、前記表示制御部は、前記原因として前記センサが故障している旨を示すか、または前記原因の代わりに、前記原因が不明である旨を示す前記画面を表示する制御を行う。
【００３１】
このような構成により、ユーザは、センサからのセンサ情報の伝送が停止した原因が、センサ管理装置によって判断可能な原因以外の原因であることを認識することができる。
【００３２】
（８）好ましくは、前記表示制御部は、前記センサ情報を前記受信部が受信できなくなった前記センサの識別情報のリストをさらに示す前記画面を表示する制御を行う。
【００３３】
このような構成により、ユーザは、センサ管理装置へのセンサ情報の伝送が停止したセンサの一覧を確認することができる。
【００３４】
（９）好ましくは、前記表示制御部は、前記センサ情報を前記受信部が再び受信できるようになった前記センサに関する前記画面の表示内容を変更前に戻す制御を行う。
【００３５】
このような構成により、たとえば、ユーザは、センサ管理装置へのセンサ情報の伝送が再開されたことを認識することができる。また、センサ管理装置においてセンサ情報を再び受信できるようになった場合に、画面の表示を自動で更新することができる。
【００３６】
（１０）本発明の実施の形態に係るセンサは、計測を行う計測部と、前記計測部による計測結果を示すセンサ情報を、前記センサ情報の示す前記計測結果と前記センサとを対応付けた画面を表示する制御を行うことが可能なセンサ管理装置へ送信する処理を行う送信処理部とを備え、前記送信処理部は、さらに、自己のセンサの電源がオフされた旨を示すオフ情報と自己のセンサの識別情報とを前記センサ管理装置へ送信する処理を行う。
【００３７】
このような構成により、たとえば、ユーザは、センサからのセンサ情報の伝送が停止した場合に、当該伝送の停止の原因が、センサの電源がオフされたことであることを容易に把握することができる。したがって、センサによる計測結果を画面に表示する構成において、センサの計測結果を表示側で取得できなくなった状況においてユーザを支援することができる。
【００３８】
（１１）本発明の実施の形態に係る監視システムは、センサと、センサ管理装置とを備え、前記センサは、自己の計測結果を示すセンサ情報を前記センサ管理装置へ送信し、前記センサ管理装置は、前記センサから送信された前記センサ情報を受信し、受信した前記センサ情報の示す前記計測結果と前記センサとを対応付けた画面を表示する制御を行い、前記センサ管理装置は、前記センサ情報を自己が受信できなくなった前記センサを認識可能となるように前記画面の表示内容を変更する制御を行う。
【００３９】
このような構成により、たとえば、センサ管理装置へのセンサ情報の伝送が停止したセンサと、当該伝送が継続しているセンサとをユーザが容易に識別することができる。また、たとえば、ユーザは、センサからのセンサ情報の伝送が停止した場合に、伝送が停止した原因の調査等、当該センサを復旧させるために必要な作業に速やかに取り掛かることができるため、当該センサによる計測結果を取得できない期間を短縮することができる。したがって、センサによる計測結果を画面に表示する構成において、センサの計測結果を表示側で取得できなくなった状況においてユーザを支援することができる。
【００４０】
（１２）本発明の実施の形態に係るセンサ管理方法は、センサ管理装置におけるセンサ管理方法であって、センサによる計測結果を示すセンサ情報を受信するステップと、受信した前記センサ情報の示す前記計測結果と前記センサとを対応付けた画面を表示する制御を行うステップと、前記センサ情報を受信できなくなった前記センサを認識可能となるように前記画面の表示内容を変更する制御を行うステップとを含む。
【００４１】
このような構成により、たとえば、センサ管理装置へのセンサ情報の伝送が停止したセンサと、当該伝送が継続しているセンサとをユーザが容易に識別することができる。また、たとえば、ユーザは、センサからのセンサ情報の伝送が停止した場合に、伝送が停止した原因の調査等、当該センサを復旧させるために必要な作業に速やかに取り掛かることができるため、当該センサによる計測結果を取得できない期間を短縮することができる。したがって、センサによる計測結果を画面に表示する構成において、センサの計測結果を表示側で取得できなくなった状況においてユーザを支援することができる。
【００４２】
（１３）本発明の実施の形態に係るセンサ管理プログラムは、センサ管理装置において用いられるセンサ管理プログラムであって、コンピュータに、センサによる計測結果を示すセンサ情報を受信するステップと、受信した前記センサ情報の示す前記計測結果と前記センサとを対応付けた画面を表示する制御を行うステップと、前記センサ情報を受信できなくなった前記センサを認識可能となるように前記画面の表示内容を変更する制御を行うステップとを実行させるためのプログラムである。
【００４３】
このような構成により、たとえば、センサ管理装置へのセンサ情報の伝送が停止したセンサと、当該伝送が継続しているセンサとをユーザが容易に識別することができる。また、たとえば、ユーザは、センサからのセンサ情報の伝送が停止した場合に、伝送が停止した原因の調査等、当該センサを復旧させるために必要な作業に速やかに取り掛かることができるため、当該センサによる計測結果を取得できない期間を短縮することができる。したがって、センサによる計測結果を画面に表示する構成において、センサの計測結果を表示側で取得できなくなった状況においてユーザを支援することができる。
【００４４】
（１４）本発明の実施の形態に係る監視方法は、センサにおける監視方法であって、計測を行うステップと、計測結果を示すセンサ情報を、前記センサ情報の示す前記計測結果と前記センサとを対応付けた画面を表示する制御を行うことが可能なセンサ管理装置へ送信する処理を行うステップと、前記センサの電源がオフされた旨を示すオフ情報と前記センサの識別情報とを前記センサ管理装置へ送信するステップとを含む。
【００４５】
このような構成により、たとえば、ユーザは、センサからのセンサ情報の伝送が停止した場合に、当該伝送の停止の原因が、センサの電源がオフされたことであることを容易に把握することができる。したがって、センサによる計測結果を画面に表示する構成において、センサの計測結果を表示側で取得できなくなった状況においてユーザを支援することができる。
【００４６】
（１５）本発明の実施の形態に係る監視プログラムは、センサにおいて用いられる監視プログラムであって、コンピュータに、計測を行うステップと、計測結果を示すセンサ情報を、前記センサ情報の示す前記計測結果と前記センサとを対応付けた画面を表示する制御を行うことが可能なセンサ管理装置へ送信する処理を行うステップと、前記センサの電源がオフされた旨を示すオフ情報と前記センサの識別情報とを前記センサ管理装置へ送信するステップとを実行させるためのプログラムである。
【００４７】
このような構成により、たとえば、ユーザは、センサからのセンサ情報の伝送が停止した場合に、当該伝送の停止の原因が、センサの電源がオフされたことであることを容易に把握することができる。したがって、センサによる計測結果を画面に表示する構成において、センサの計測結果を表示側で取得できなくなった状況においてユーザを支援することができる。
【００４８】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４９】
［構成および基本動作］
図１は、本発明の実施の形態に係る監視システムの構成を示す図である。
【００５０】
図１を参照して、監視システム１０１は、複数のセンサ１１と、センサ管理装置１２と、ディスプレイ１３と、無線通信装置１４とを備える。なお、センサ管理装置１２がディスプレイ１３を含む構成であってもよい。
【００５１】
センサ１１は、バッテリ１５を含み、バッテリ１５から供給される電力によって動作する。センサ１１は、工場または病院等の監視エリアにおいて設置され、監視対象に関する計測、たとえば、温度、湿度または電流等の計測を行う。
【００５２】
センサ１１は、自己の識別情報すなわちＩＤ（Ｉｄｅｎｔｉｆｉｃａｔｉｏｎ）と、計測結果を示す計測結果情報と、バッテリ１５の蓄電残量に関するバッテリ情報とを含むセンサ情報を定期的または不定期に作成し、たとえば無線ＬＡＮ（Ｌｏｃａｌ  Ａｒｅａ  Ｎｅｔｗｏｒｋ）またはＺｉｇＢｅｅ（登録商標）等の通信方式に従って、作成したセンサ情報を無線通信装置１４へ無線伝送する。バッテリ情報は、たとえば、バッテリ１５の電圧を示す。
【００５３】
無線通信装置１４は、たとえば、無線ＬＡＮまたはＺｉｇＢｅｅ等における基地局であり、センサ１１から受信したセンサ情報をセンサ管理装置１２へ送信する。
【００５４】
具体的には、無線通信装置１４は、センサ１１からセンサ情報を含む無線信号を受信すると、当該センサ情報を受信した際のＬＱＩ（Ｌｉｎｋ  Ｑｕａｌｉｔｙ  Ｉｎｄｉｃａｔｏｒ）を示す通信品質情報を当該センサ情報に付加し、通信品質情報を付加したセンサ情報をセンサ管理装置１２へ送信する。
【００５５】
センサ管理装置１２は、無線通信装置１４から各センサ１１のセンサ情報を受信し、受信した各センサ情報に基づく内容をディスプレイ１３に表示する制御を行う。
【００５６】
図２は、本発明の実施の形態に係る監視システムにおけるディスプレイに表示された画面の一例を示す図である。
【００５７】
図２は、たとえば、センサ管理装置１２にインストールされたアプリケーションＡＰによって作成された画面を示している。アプリケーションＡＰは、たとえばセンサ管理装置１２が受信したセンサ情報に基づいて定期的に画面の更新を行う。
【００５８】
図２を参照して、画面Ｐｉ２は、データ表示エリアＴｄと、グラフ表示エリアＭｄと、ボタン表示エリアＡｄと、バッテリ表示エリアＢｄと、通信表示エリアＣｄと、ログ表示エリアＬｄとを含む。
【００５９】
データ表示エリアＴｄには、たとえば、選択されたセンサ１１からの最新のセンサ情報の内容が表示されている。具体的には、データ表示エリアＴｄには、ＩＤが「１２ｅ３」であるセンサ１１によって計測された「温度」、「湿度」および「電池電圧」すなわちバッテリ１５の電圧、ならびに無線通信装置１４によって計測された「ＬＱＩ」の値が表示されている。
【００６０】
グラフ表示エリアＭｄには、選択されたセンサ１１からのセンサ情報に含まれる計測結果情報に基づいて作成された温度のグラフおよび湿度のグラフが表示されている。バッテリ表示エリアＢｄには、選択されたセンサ１１からのセンサ情報に含まれるバッテリ情報に基づいて作成された、バッテリ１５の蓄電残量を判断可能な電圧のグラフが表示されている。
【００６１】
通信表示エリアＣｄには、選択されたセンサ１１からのセンサ情報に含まれる通信品質情報に基づいて作成された、センサ１１および無線通信装置１４間の通信品質を示すＬＱＩのグラフが表示されている。
【００６２】
ログ表示エリアＬｄには、センサ管理装置１２によるセンサ情報の受信、およびセンサ管理装置１２が計測結果情報に基づいて検出した異常等に関する履歴が表示されている。
【００６３】
ボタン表示エリアＡｄは、表示部Ａｕ１〜表示部Ａｕ８と、表示部Ｓｅとを含んでいる。以下、表示部Ａｕ１〜表示部Ａｕ８の各々を表示部Ａｕとも称する。
【００６４】
図２に示す例では、監視システム１０１は、８つのセンサ１１を備える。表示部Ａｕ１〜Ａｕ８は、これら８つのセンサ１１とそれぞれ対応している。
【００６５】
表示部Ａｕ１〜Ａｕ８にはボタンＢｕ１〜Ｂｕ８がそれぞれ表示されている。以下、ボタンＢｕ１〜Ｂｕ８の各々をボタンＢｕとも称する。
【００６６】
ボタンＢｕには、対応のセンサ１１により計測された最新の温度が表示されている。また、ボタンＢｕの上側には、対応のセンサのＩＤが表示されている。すなわち、表示部Ａｕ１〜Ａｕ８の各々には、対応のセンサ１１と、当該センサ１１からのセンサ情報の示す計測結果とを対応付けた内容が表示されている。
【００６７】
たとえば、画面Ｐｉ２が表示されている期間において、センサ管理装置１２がセンサ１１からのセンサ情報を受信した場合、画面Ｐｉ２における当該センサ１１に対応するボタンＢｕが一時的に点滅する。これにより、センサ管理装置１２がセンサ１１からのセンサ情報を受信したことをユーザに認識させることができる。
【００６８】
また、たとえば、ユーザは、ボタンＢｕをクリックすることにより、クリックしたボタンに対応するセンサに関する内容をデータ表示エリアＴｄ、グラフ表示エリアＭｄ、バッテリ表示エリアＢｄおよび通信表示エリアＣｄに表示させることができる。
【００６９】
また、表示部Ｓｅには、「温度」、「湿度」、「電池電圧」および「ＬＱＩ」の文字がそれぞれ付されたボタンＳ１〜Ｓ４が表示されている。
【００７０】
たとえば、ユーザは、ボタンＳ１〜Ｓ４のいずれか１つをクリックすることにより、ボタンＢｕ１〜Ｂｕ８に表示する内容を選択することができる。当該画面においては、「温度」の文字が付されたボタンＳ１が選択されているため、ボタンＢｕ１〜Ｂｕ８には、対応のセンサ１１により計測された温度が表示されている。
【００７１】
［課題］
アプリケーションＡＰを起動させた直後において、画面のボタン表示エリアＡｄには、各ボタンＢｕおよび対応のＩＤは表示されていない。たとえば、アプリケーションＡＰの起動後においてセンサ管理装置１２がセンサ情報を受信した場合に、当該センサ情報の送信元のセンサ１１に対応するボタンＢｕおよび対応のＩＤが表示される。そして、センサ管理装置１２が新たなセンサ１１からセンサ情報を受信すると、ボタン表示エリアＡｄにおいてボタンＢｕおよびＩＤの組が新たに表示される。
【００７２】
ここで、センサ管理装置１２が、あるセンサ１１からのセンサ情報を受信できなくなった後も、当該センサ１１に対応するボタンＢｕおよびＩＤを画面に引き続き表示する構成である場合、ユーザは、センサ情報がセンサ管理装置１２に伝送されないセンサ１１を容易に認識できない。
【００７３】
そこで、本発明の実施の形態に係る監視システムでは、以下のような処理により、このような課題を解決する。
【００７４】
図３は、本発明の実施の形態に係る監視システムにおけるディスプレイに表示された画面の他の例を示す図である。
【００７５】
図３を参照して、画面Ｐｉ３は、データ表示エリアＴｄと、グラフ表示エリアＭｄと、ボタン表示エリアＡｄと、リスト表示エリアＧｄと、ログ表示エリアＬｄとを含む。すなわち、画面Ｐｉ３は、図２に示す画面Ｐｉ２と比べて、バッテリ表示エリアＢｄおよび通信表示エリアＣｄの代わりに、リスト表示エリアＧｄを含む。
【００７６】
図３は、センサ管理装置１２が監視システム１０１における一部のセンサ１１からのセンサ情報を受信できなくなった場合においてディスプレイ１３に表示された画面を示している。具体的には、図３に示す例では、監視システム１０１の備える、表示部Ａｕ１〜Ａｕ８に対応する８つのセンサ１１のうち、表示部Ａｕ２，Ａｕ３，Ａｕ５，Ａｕ７に対応するセンサ１１からのセンサ情報をセンサ管理装置１２が受信できなくなった場合を示している。
【００７７】
以下、センサ１１からのセンサ情報をセンサ管理装置１２が受信できなくなった場合における、当該センサ１１を受信不可センサとも称し、センサ情報をセンサ管理装置１２が受信できなくなった原因を受信不可原因とも称する。
【００７８】
リスト表示エリアＧｄには、受信不可センサのＩＤのリストである受信不可センサリストが表示されている。具体的には、受信不可センサリストは、受信不可センサの識別情報と、受信不可センサの受信不可原因とを示している。
【００７９】
ボタン表示エリアＡｄには、受信不可センサをユーザが認識可能な内容が表示されている。具体的には、画面Ｐｉ３におけるボタン表示エリアＡｄでは、図２に示す画面Ｐｉ２におけるボタン表示エリアＡｄと比べて、表示部Ａｕ１〜Ａｕ８のうち、受信不可センサに対応する表示部Ａｕの内容が表示されていない。つまり、表示部Ａｕ２，Ａｕ３，Ａｕ５，Ａｕ７の表示内容が削除されている。
【００８０】
このように、センサ管理装置１２は、１または複数のセンサ１１からセンサ情報を受信することができなくなった場合、受信不可センサをユーザが認識することができるように、画面の表示を変更する。
【００８１】
図４および図５は、本発明の実施の形態に係る監視システムにおけるディスプレイに表示された画面のボタン表示エリアＡｄの他の例を示す図である。
【００８２】
図４を参照して、ボタン表示エリアＡｄには、受信不可センサをユーザが認識可能な内容が表示されている。具体的には、受信不可センサに対応する表示部Ａｕである表示部Ａｕ２，Ａｕ３，Ａｕ５，Ａｕ７は、図２に示す画面Ｐｉ２における表示部Ａｕ２，Ａｕ３，Ａｕ５，Ａｕ７と比べて、それぞれ異なる表示態様となっている。
【００８３】
より具体的には、受信不可センサに対応するボタンＢｕであるボタンＢｕ２，Ｂｕ３，Ｂｕ５，Ｂｕ７には、「停止中」の文字が付されている。なお、ボタンＢｕ２，Ｂｕ３，Ｂｕ５，Ｂｕ７には、「受信不可」等、他の文字が付されてもよい。
【００８４】
図５を参照して、ボタン表示エリアＡｄには、受信不可センサをユーザが認識可能な内容が表示されている。具体的には、受信不可センサに対応する表示部Ａｕである表示部Ａｕ２，Ａｕ３，Ａｕ５，Ａｕ７は、図２に示す画面Ｐｉ２における表示部Ａｕ２，Ａｕ３，Ａｕ５，Ａｕ７と比べて、それぞれ異なる表示態様となっている。
【００８５】
より具体的には、受信不可センサに対応するボタンＢｕであるボタンＢｕ２，Ｂｕ３，Ｂｕ５，Ｂｕ７は、通常表示における色とは異なる色で表示さている。なお、受信不可センサに対応するボタンＢｕは、通常表示における色とは異なる色で表示され、かつ「停止中」等の文字が付されてもよい。
【００８６】
［動作］
次に、本発明の実施の形態に係る監視システムにおける画面表示処理について説明する。
【００８７】
監視システム１０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００８８】
図６は、本発明の実施の形態に係る監視システムにおける画面表示処理のシーケンスの一例を示す図である。
【００８９】
以下、たとえば図２に示す画面Ｐｉ２における表示部Ａｕ１〜Ａｕ８のうち、表示部Ａｕ２に対応するセンサ１１をセンサ１１Ｋとする。センサ１１ＫのＩＤは「１２ｅ４」である。
【００９０】
図６を参照して、まず、センサ１１Ｋは、自己の計測結果に基づいてセンサ情報を作成し、作成したセンサ情報を無線通信装置１４へ送信する（ステップＳ１１）。
【００９１】
次に、無線通信装置１４は、センサ１１Ｋから受信したセンサ情報に、当該センサ情報を受信した際のＬＱＩを示す通信品質情報を付加し（ステップＳ１２）、通信品質情報を付加したセンサ情報をセンサ管理装置１２へ送信する（ステップＳ１３）。
【００９２】
次に、センサ管理装置１２は、無線通信装置１４からセンサ情報を受信すると、受信したセンサ情報に基づいて、ディスプレイ１３の表示内容を示す表示情報Ｌを作成し（ステップＳ１４）、作成した表示情報Ｌをディスプレイ１３へ送信する（ステップＳ１５）。
【００９３】
次に、ディスプレイ１３は、センサ管理装置１２から受信した表示情報Ｌの内容を表示する。ここでは、ディスプレイ１３には、たとえば図２に示す画面Ｐｉ２が表示される。
【００９４】
監視システム１０１は、たとえば、ステップＳ１１〜ステップＳ１５の動作を定期的に繰り返す。
【００９５】
ここで、センサ管理装置１２は、センサ１１Ｋからの直近のセンサ情報の受信タイミングから、所定時間新たなセンサ情報が自己へ届かない場合、センサ１１Ｋからのセンサ情報を受信できなくなったと判断し、センサ１１Ｋを受信不可センサとみなす（ステップＳ１６）。
【００９６】
次に、センサ管理装置１２は、センサ１１Ｋからの直近のセンサ情報の内容を確認し、センサ１１Ｋからのセンサ情報を受信できなくなった原因、すなわち受信不可原因を判断する。
【００９７】
具体的には、たとえば、直近のセンサ情報に含まれるバッテリ情報が、蓄電残量が少ないことを示す場合、センサ管理装置１２は、センサ１１Ｋの受信不可原因はバッテリ１５の蓄電残量の不足であると判断する。
【００９８】
また、直近のセンサ情報に含まれる通信品質情報が、センサ１１Ｋと無線通信装置１４との通信品質が悪いことを示す場合、センサ管理装置１２は、センサ１１Ｋの受信不可原因は通信品質の悪化であると判断する。ここでは、センサ管理装置１２は、センサ１１Ｋの受信不可原因は蓄電残量の不足であると判断するものとする。
【００９９】
次に、センサ管理装置１２は、自己の判断内容に基づいて、ディスプレイ１３の表示内容を示す表示情報Ｍを作成し（ステップＳ１８）、作成した表示情報Ｍをディスプレイ１３へ送信する（ステップＳ１９）。
【０１００】
次に、ディスプレイ１３は、センサ管理装置１２から受信した表示情報Ｍの内容を表示する。ディスプレイ１３には、たとえば図３に示す画面Ｐｉ３が表示される。画面Ｐｉ３において、センサ１１Ｋに対応する表示部Ａｕの表示内容は削除されている。また、リスト表示エリアＧｄにおいて、受信不可センサリストが表示されている。
【０１０１】
当該受信不可センサリストには、受信不可センサであるセンサ１１ＫのＩＤ、およびセンサ１１Ｋの受信不可原因が表示される。具体的には、受信不可センサリストには、センサ１１Ｋの受信不可原因として、バッテリ１５の蓄電残量が少ない旨が表示されている。
【０１０２】
なお、図６では示していないが、センサ管理装置１２は、センサ１１Ｋすなわち表示部Ａｕ２に対応するセンサ１１と同様に、表示部Ａｕ３，Ａｕ５，Ａｕ７に対応するセンサ１１も受信不可センサとみなし、画面Ｐｉ３の受信不可センサリストを作成する。
【０１０３】
図７は、本発明の実施の形態に係る監視システムにおける画面表示処理のシーケンスの他の例を示す図である。
【０１０４】
図７を参照して、ステップＳ３１〜Ｓ３５の動作は、図６に示すステップＳ１１〜Ｓ１５の動作と同様である。監視システム１０１は、ステップＳ３１〜Ｓ３５の動作を定期的または不定期に繰り返す。
【０１０５】
ここで、たとえば、ユーザがセンサ１１Ｋに対して電源をオフするための操作を行う。センサ１１Ｋは、当該操作を受けると（ステップＳ３６）、動作を停止する前に、自己のＩＤと、電源がオフされた旨を示すオフ情報とを含む動作停止情報を作成し、作成した動作停止情報を無線通信装置１４へ送信する（ステップＳ３７）。
【０１０６】
次に、無線通信装置１４は、センサ１１Ｋから動作停止情報を受信し、受信した動作停止情報をセンサ管理装置１２へ送信する（ステップＳ３８）。
【０１０７】
次に、センサ管理装置１２は、無線通信装置１４から動作停止情報を受信すると、センサ１１Ｋの電源がオフされたことによってセンサ１１Ｋからのセンサ情報を受信できなくなったことを認識する（ステップＳ３９）。
【０１０８】
次に、センサ管理装置１２は、ディスプレイ１３の表示内容を示す表示情報Ｎを作成し（ステップＳ４０）、作成した表示情報Ｎをディスプレイ１３へ送信する（ステップＳ４１）。
【０１０９】
次に、ディスプレイ１３は、センサ管理装置１２から受信した表示情報Ｎを表示する。ここでは、ディスプレイ１３には、たとえば図３に示す画面Ｐｉ３と以下の点が異なる画面が表示される。すなわち、当該画面では、リスト表示エリアＧｄにおいて表示される受信不可センサリストに、センサ１１Ｋの受信不可原因はセンサ１１Ｋの電源がオフされたことである旨が表示される。
【０１１０】
図８は、本発明の実施の形態に係るセンサ管理装置の構成を示す図である。
【０１１１】
図８を参照して、センサ管理装置１２は、受信部２１と、処理部（判断部）２２と、表示制御部２３と、記憶部２５とを備える。
【０１１２】
受信部２１は、センサ１１による計測結果を示すセンサ情報を受信する。具体的には、たとえば、受信部２１は、計測結果情報、バッテリ情報および通信品質情報を含むセンサ情報を無線通信装置１４から受信し、受信したセンサ情報を処理部２２および記憶部２５へ出力する。記憶部２５は、受信部２１から受けたセンサ情報を記憶する。
【０１１３】
処理部２２は、たとえば、無線通信装置１４から受信したセンサ情報に基づいて、たとえば、図２に示す画面Ｐｉ２の内容を含む表示情報Ｌを作成し、作成した表示情報Ｌを表示制御部２３へ出力する。
【０１１４】
表示制御部２３は、受信部２１によって受信されたセンサ情報の示す計測結果とセンサ１１とを対応付けた画面を表示する制御を行う。
【０１１５】
たとえば、表示制御部２３は、処理部２２から受けた表示情報Ｌをディスプレイ１３へ送信する。ディスプレイ１３には、たとえば、図２に示す画面Ｐｉ２が表示される。画面Ｐｉ２における表示部Ａｕ１〜Ａｕ８には、センサ情報の示す計測結果とセンサ１１とを対応付けた内容が表示される。
【０１１６】
処理部２２は、たとえば、センサ１１Ｋからのセンサ情報を受信部２１から受けてから、所定時間センサ１１Ｋからの新たなセンサ情報を受信部２１から受けなかった場合、受信部２１がセンサ１１Ｋからのセンサ情報を受信できなくなったと判断し、センサ１１Ｋを受信不可センサとみなす。
【０１１７】
処理部２２は、受信部２１がセンサ１１Ｋからのセンサ情報を受信できなくなったと判断した場合、たとえば、記憶部２５に保存されたセンサ１１Ｋからの直近のセンサ情報の内容を確認し、センサ１１Ｋからのセンサ情報を受信できなくなった原因、すなわち受信不可原因を判断する。
【０１１８】
具体的には、たとえば、センサ１１Ｋからの直近のセンサ情報に含まれるバッテリ情報が、蓄電残量が少ないことを示す場合、センサ管理装置１２は、センサ１１Ｋの受信不可原因はバッテリ１５の蓄電残量の不足であると判断する。
【０１１９】
また、処理部２２は、たとえば、センサ１１Ｋすなわち画面Ｐｉ２における表示部Ａｕ２に対応するセンサ１１と同様に、表示部Ａｕ３，Ａｕ５，Ａｕ７に対応するセンサ１１も受信不可センサとみなす。
【０１２０】
処理部２２は、たとえば、自己の判断内容に基づいて、図３に示す画面Ｐｉ３の内容を含む表示情報Ｍを作成し、作成した表示情報Ｍを表示制御部２３へ出力する。
【０１２１】
表示制御部２３は、センサ情報を受信部２１が受信できなくなったセンサ１１、すなわち受信不可センサであるセンサ１１Ｋを認識可能となるようにディスプレイ１３の画面の表示内容を変更する制御を行う。
【０１２２】
具体的には、たとえば、表示制御部２３は、受信不可センサと当該受信不可センサの計測結果とを対応付けた内容、つまり表示部Ａｕ２の内容をディスプレイ１３の画面から削除する制御を行う。
【０１２３】
このとき、表示制御部２３の制御により表示される画面は、たとえば、受信不可センサのＩＤのリストつまり受信不可センサリストをさらに示す画面である。
【０１２４】
また、このとき、表示制御部２３の制御により表示される画面は、たとえば、センサ１１Ｋからのセンサ情報を受信部２１が受信できなくなった原因すなわちセンサ１１Ｋの受信不可原因を示す画面である。たとえば、蓄電残量が少ないことを示すバッテリ情報が受信部２１によって受信されていた場合、当該画面は、当該受信不可原因として、蓄電残量が少ない旨を示す。
【０１２５】
具体的には、たとえば、表示制御部２３は、表示情報Ｍをディスプレイ１３へ送信する。また、処理部２２は、センサ１１と自己のセンサ管理装置１２との通信品質を判断する。
【０１２６】
具体的には、たとえば、処理部２２は、受信部２１がセンサ１１Ｋからのセンサ情報を受信できなくなったと判断した場合において、センサ１１Ｋからの直近のセンサ情報に含まれる通信品質情報が低いレベルのＬＱＩを示す場合、センサ１１Ｋと自己のセンサ管理装置１２との通信品質が悪いと判断する。
【０１２７】
そして、処理部２２は、自己の判断結果に基づいて表示情報Ｗを作成し、作成した表示情報Ｗを表示制御部２３へ出力する。
【０１２８】
表示制御部２３は、処理部２２によってセンサ１１Ｋとセンサ管理装置１２との通信品質が悪いと判断された場合、当該センサ１１の受信不可原因として、通信品質が悪い旨を示す画面を表示する制御を行う。
【０１２９】
具体的には、表示制御部２３は、処理部２２から受信した表示情報Ｗをディスプレイ１３へ送信する。
【０１３０】
ディスプレイ１３には、たとえば図３に示す画面Ｐｉ３と以下の点が異なる画面が表示される。すなわち、当該画面では、リスト表示エリアＧｄにおいて表示される受信不可センサリストに、センサ１１Ｋの受信不可原因として、通信品質が悪い旨が表示される。
【０１３１】
また、処理部２２は、受信部２１がセンサ１１Ｋからのセンサ情報を受信できなくなったと判断した場合において、センサ１１Ｋからの直近のセンサ情報に含まれるバッテリ情報が、蓄電残量が少ないことを示しておらず、かつ、当該センサ情報に含まれる通信品質情報が、ＬＱＩのレベルが低いことを示していない場合、センサ１１Ｋは故障していると判断する。
【０１３２】
そして、処理部２２は、自己の判断結果に基づいて、表示情報Ｕを作成し、作成した表示情報Ｕを表示制御部２３へ出力する。
【０１３３】
表示制御部２３は、たとえば、センサ１１の受信不可原因として、センサ１１Ｋが故障している旨を画面に表示する制御を行う。具体的には、たとえば、表示制御部２３は、処理部２２から受信した表示情報Ｕをディスプレイ１３へ送信する。
【０１３４】
ディスプレイ１３には、たとえば図３に示す画面Ｐｉ３と以下の点が異なる画面が表示される。すなわち、当該画面では、リスト表示エリアＧｄにおいて表示される受信不可センサリストに、センサ１１Ｋの受信不可原因として、故障している旨が表示される。
【０１３５】
なお、処理部２２は、受信部２１がセンサ１１Ｋからのセンサ情報を受信できなくなったと判断した場合において、センサ１１Ｋからの直近のセンサ情報に含まれるバッテリ情報が蓄電残量が少ないことを示しておらず、かつ、当該センサ情報に含まれる通信品質情報がＬＱＩのレベルが低いことを示していない場合に、センサ１１Ｋの受信不可原因は不明であると判断してもよい。
【０１３６】
この場合、表示制御部２３は、センサ１１の受信不可原因として、センサ１１Ｋが故障している旨の代わりに、センサ１１の受信不可原因が不明である旨を画面に表示する制御を行う。
【０１３７】
ユーザがセンサ１１Ｋに対して電源をオフするための操作を行った場合、センサ１１は、動作を停止する前に、自己のＩＤおよび電源がオフされた旨を示すオフ情報を含む動作停止情報を作成し、作成した動作停止情報を無線通信装置１４へ送信する。
【０１３８】
受信部２１は、たとえば、センサ１１から無線通信装置１４経由で動作停止情報を受信し、受信した動作停止情報を処理部２２へ出力する。
【０１３９】
表示制御部２３は、受信部２１によって動作停止情報が受信された場合、受信不可原因としてセンサ１１の電源がオフされた旨を示す画面を表示する制御を行う。
【０１４０】
具体的には、処理部２２は、センサ１１Ｋからの動作停止情報を受信部２１から受けると、センサ１１Ｋの電源がオフされたことによってセンサ１１Ｋからのセンサ情報を受信部２１が受信できなくなったと認識する。
【０１４１】
そして、処理部２２は、ディスプレイ１３の表示内容を示す表示情報Ｎを作成し、作成した表示情報Ｎを表示制御部２３へ送信する。表示制御部２３は、処理部２２から受信した表示情報Ｎをディスプレイ１３へ送信する。
【０１４２】
ディスプレイ１３には、たとえば図３に示す画面Ｐｉ３と以下の点が異なる画面が表示される。すなわち、当該画面では、リスト表示エリアＧｄにおいて表示される受信不可センサリストに、センサ１１Ｋの受信不可原因として、センサ１１Ｋの電源がオフされた旨が表示される。
【０１４３】
処理部２２は、たとえば、ディスプレイ１３に図３に示す画面Ｐｉ３が表示されている場合において、センサ１１Ｋからのセンサ情報を受信部２１から受けると、受信部２１がセンサ１１Ｋからのセンサ情報を再び受信することができるようになったと判断する。
【０１４４】
そして、処理部２２は、自己の判断内容に基づいて、表示情報Ｐを作成し、作成した表示情報Ｐを表示制御部２３へ出力する。
【０１４５】
表示制御部２３は、センサ情報を受信部２１が再び受信できるようになったセンサ１１に関する画面の表示内容を変更前に戻す制御を行う。具体的には、表示制御部２３は、処理部２２から受けた表示情報Ｐをディスプレイ１３へ送信する。
【０１４６】
ディスプレイ１３には、たとえば図３に示す画面Ｐｉ３と以下の点が異なる画面が表示される。すなわち、当該画面では、表示部Ａｕ２にボタンＢｕ２とセンサ１１ＫのＩＤとが表示される。
【０１４７】
図９は、本発明の実施の形態に係る監視システムにおけるセンサの構成を示す図である。
【０１４８】
図９を参照して、センサ１１は、計測部３１と、送信処理部３２と、操作部３３と、残量計測部３４と、無線送信部３５とを備える。
【０１４９】
計測部３１は、監視対象に関する計測を行い、計測結果を示す計測結果情報を送信処理部３２へ出力する。
【０１５０】
残量計測部３４は、バッテリ１５の電圧を計測し、計測した電圧を示すバッテリ情報を作成する。そして、残量計測部３４は、作成したバッテリ情報を送信処理部３２へ出力する。
【０１５１】
送信処理部３２は、自己のセンサ１１のＩＤ、計測部３１から受けた計測結果情報、および残量計測部３４から受けたバッテリ情報を含むセンサ情報を作成し、作成したセンサ情報を無線送信部３５へ出力する。
【０１５２】
無線送信部３５は、送信処理部３２から受けたセンサ情報を含む無線信号を無線通信装置１４へ送信する。
【０１５３】
操作部３３は、自己のセンサ１１の電源をオフするための操作をユーザから受けると、当該操作の内容を送信処理部３２へ通知する。
【０１５４】
送信処理部３２は、操作部３３から当該通知を受けて、自己のセンサ１１のＩＤと、自己のセンサ１１の電源がオフされた旨を示すオフ情報とを含む動作停止情報を作成し、作成した動作停止情報を無線送信部３５へ出力する。
【０１５５】
無線送信部３５は、送信処理部３２から受けた動作停止情報を含む無線信号をセンサ管理装置１２へ送信する。
【０１５６】
なお、本発明の実施の形態に係る監視システム１０１では、センサ１１と無線通信装置１４とは無線により接続される構成であるとしたが、これに限定するものではなく、有線により接続される構成であってもよい。
【０１５７】
また、本発明の実施の形態に係る監視システム１０１では、無線通信装置１４とセンサ管理装置１２とは有線により接続される構成であるとしたが、これに限定するものではなく、無線により接続される構成であってもよい。
【０１５８】
また、本発明の実施の形態に係る監視システム１０１は、無線通信装置１４を備える構成であるとしたがこれに限定するものではなく、無線通信装置１４を備えない構成であってもよい。この場合、センサ１１は、センサ情報および動作停止情報を直接センサ管理装置１２へ送信する。
【０１５９】
また、本発明の実施の形態に係るセンサ１１は、無線送信部３５を備える構成であるとしたが、これに限定するものではなく、無線送信部３５を備えない構成であってもよい。この場合、送信処理部３２は、センサ１１の外部に設けられた無線送信部３５へセンサ情報および動作停止情報を送信する。
【０１６０】
また、本発明の実施の形態に係るセンサ１１は、バッテリ１５を備える構成であるとしたが、これに限定するものではなく、バッテリ１５を備えない構成であってもよい。この場合、センサ１１は、外部から供給された電力により動作する。
【０１６１】
ところで、特許文献１に記載の技術において、あるセンサからの計測結果が何らかの原因により表示側で取得できなくなる場合がある。しかしながら、特許文献１には、このような問題点を解決するための構成は開示されていない。
【０１６２】
これに対して、本発明の実施の形態に係るセンサ管理装置では、受信部２１は、センサ１１による計測結果を示すセンサ情報を受信する。表示制御部２３は、受信部２１によって受信されたセンサ情報の示す計測結果とセンサ１１とを対応付けた画面を表示する制御を行う。表示制御部２３は、センサ情報を受信部２１が受信できなくなったセンサ１１を認識可能となるように画面の表示内容を変更する制御を行う。
【０１６３】
また、本発明の実施の形態に係る監視システムでは、センサ１１は、自己の計測結果を示すセンサ情報をセンサ管理装置１２へ送信する。センサ管理装置１２は、センサ１１から送信されたセンサ情報を受信し、受信したセンサ情報の示す計測結果とセンサ１１とを対応付けた画面を表示する制御を行う。センサ管理装置１２は、センサ情報を自己が受信できなくなったセンサ１１を認識可能となるように画面の表示内容を変更する制御を行う。
【０１６４】
このような構成により、たとえば、センサ管理装置１２へのセンサ情報の伝送が停止したセンサ１１と、当該伝送が継続しているセンサ１１とをユーザが容易に識別することができる。また、たとえば、ユーザは、センサ１１からのセンサ情報の伝送が停止した場合に、伝送が停止した原因の調査等、当該センサ１１を復旧させるために必要な作業に速やかに取り掛かることができるため、当該センサ１１による計測結果を取得できない期間を短縮することができる。
【０１６５】
したがって、本発明の実施の形態に係るセンサ管理装置および監視システムでは、センサによる計測結果を画面に表示する構成において、センサの計測結果を表示側で取得できなくなった状況においてユーザを支援することができる。
【０１６６】
また、本発明の実施の形態に係るセンサ管理装置では、表示制御部２３は、センサ情報を受信部２１が受信できなくなったセンサ１１と計測結果とを対応付けた内容を画面から削除する制御を行う。
【０１６７】
このような構成により、たとえば、センサ管理装置１２へのセンサ情報の伝送が継続しているセンサ１１をユーザに認識させることができ、また、画面表示が煩雑になっている場合には、煩雑さを解消することができる。
【０１６８】
また、アプリケーションＡＰを再起動させることなく、ボタン表示エリアＡｄにおける当該伝送の停止したセンサ１１に対応する表示を削除することができるため、アプリケーションＡＰを再起動させる手間を省くことができる。
【０１６９】
また、本発明の実施の形態に係るセンサ管理装置では、表示制御部２３は、センサ情報を受信部２１が受信できなくなった原因をさらに示す画面を表示する制御を行う。
【０１７０】
このような構成により、たとえば、ユーザは、センサ１１からのセンサ情報の伝送が停止した原因を自ら調査することなく容易に把握することができるため、センサ情報の伝送の復旧を効率的に行うことができる。
【０１７１】
また、本発明の実施の形態に係るセンサ管理装置では、受信部２１は、センサ１１の電源がオフされた旨を示すオフ情報をセンサ１１から受信する。表示制御部２３は、受信部２１によってオフ情報が受信された場合、上記原因として、センサ１１の電源がオフされた旨を示す画面を表示する制御を行う。
【０１７２】
このような構成により、ユーザは、センサ１１からのセンサ情報の伝送が停止した原因が、当該センサ１１の電源がオフされたことであることを容易に把握することができる。
【０１７３】
また、本発明の実施の形態に係るセンサ管理装置では、処理部（判断部）２２は、センサ１１と自己のセンサ管理装置１２との通信品質を判断する。表示制御部２３は、処理部２２によって通信品質が悪いと判断された場合、上記原因として通信品質が悪い旨を示す画面を表示する制御を行う。
【０１７４】
このような構成により、ユーザは、センサ１１からのセンサ情報の伝送が停止した原因が、当該センサ１１とセンサ管理装置１２との通信品質の悪化であることを容易に把握することができる。
【０１７５】
また、本発明の実施の形態に係るセンサ管理装置では、受信部２１は、センサ１１のバッテリの蓄電残量に関するバッテリ情報をセンサ１１から受信する。表示制御部２３は、蓄電残量が少ないことを示すバッテリ情報が受信部２１によって受信された場合、上記原因として蓄電残量が少ない旨を示す画面を表示する制御を行う。
【０１７６】
このような構成により、ユーザは、センサ１１からのセンサ情報の伝送が停止した原因が、当該センサ１１におけるバッテリの蓄電残量の不足であることを容易に把握することができる。
【０１７７】
また、本発明の実施の形態に係るセンサ管理装置では、表示制御部２３は、上記原因としてセンサ１１が故障している旨を示すか、または上記原因の代わりに、原因が不明である旨を示す画面を表示する制御を行う。
【０１７８】
このような構成により、ユーザは、センサ１１からのセンサ情報の伝送が停止した原因が、センサ管理装置１２によって判断可能な原因以外の原因であることを認識することができる。
【０１７９】
また、本発明の実施の形態に係るセンサ管理装置では、表示制御部２３は、センサ情報を受信部２１が受信できなくなったセンサ１１の識別情報のリストである受信不可センサリストをさらに示す画面を表示する制御を行う。
【０１８０】
このような構成により、ユーザは、センサ管理装置１２へのセンサ情報の伝送が停止したセンサ１１の一覧を確認することができる。
【０１８１】
また、本発明の実施の形態に係るセンサ管理装置では、表示制御部２３は、センサ情報を受信部２１が再び受信できるようになったセンサ１１に関する画面の表示内容を変更前に戻す制御を行う。
【０１８２】
このような構成により、たとえば、ユーザは、センサ管理装置１２へのセンサ情報の伝送が再開されたことを認識することができる。また、センサ管理装置１２においてセンサ情報を再び受信できるようになった場合に、画面の表示を自動で更新することができる。
【０１８３】
また、本発明の実施の形態に係るセンサでは、計測部３１は計測を行う。送信処理部３２は、計測部３１による計測結果を示すセンサ情報を、センサ情報の示す計測結果とセンサ１１とを対応付けた画面を表示する制御を行うことが可能なセンサ管理装置１２へ送信する処理を行う。送信処理部３２は、自己のセンサ１１の電源がオフされた旨を示すオフ情報と自己のセンサ１１の識別情報とをセンサ管理装置１２へ送信する処理を行う。
【０１８４】
このような構成により、たとえば、ユーザは、センサ１１からのセンサ情報の伝送が停止した場合に、当該伝送の停止の原因が、センサ１１の電源がオフされたことであることを容易に把握することができる。
【０１８５】
したがって、本発明の実施の形態に係るセンサでは、センサによる計測結果を画面に表示する構成において、センサの計測結果を表示側で取得できなくなった状況においてユーザを支援することができる。
【０１８６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１８７】
以上の説明は、以下に付記する特徴を含む。
【０１８８】
［付記１］
センサによる計測結果を示すセンサ情報を受信する受信部と、
前記受信部によって受信された前記センサ情報の示す前記計測結果と前記センサとを対応付けた画面を表示する制御を行う表示制御部とを備え、
前記受信部は、１または複数の前記センサから前記センサ情報を受信し、
前記表示制御部は、前記センサ情報を前記受信部が受信できなくなった前記センサと前記計測結果とを対応付けた内容の表示態様を、他の前記センサと前記計測結果とを対応付けた内容とは異なる表示態様とし、
前記受信部は、前記センサから無線で送信された前記センサ情報を受信する、センサ管理装置。
【０１８９】
［付記２］
センサであって、
計測を行う計測部と、
前記計測部による計測結果を示すセンサ情報を、前記センサ情報の示す前記計測結果と前記センサとを対応付けた画面を表示する制御を行うことが可能なセンサ管理装置へ送信する処理を行う送信処理部とを備え、
前記送信処理部は、さらに、自己のセンサの電源がオフされた旨を示すオフ情報と自己のセンサの識別情報とを前記センサ管理装置へ送信する処理を行い、
前記センサ情報は、前記センサ管理装置へ無線で送信される、センサ。
【符号の説明】
【０１９０】
１１，１１Ｋ  センサ
１２  センサ管理装置
１３  ディスプレイ
１４  無線通信装置
１５  バッテリ
２１  受信部
２２  処理部
２３  表示制御部
２５  記憶部
３１  計測部
３２  送信処理部
３３  操作部
３４  残量計測部
３５  無線送信部
１０１  監視システム
【図１】
2018129091.tif 000003
【図２】
2018129091.tif 000004
【図３】
2018129091.tif 000005
【図４】
2018129091.tif 000006
【図５】
2018129091.tif 000007
【図６】
2018129091.tif 000008
【図７】
2018129091.tif 000009
【図８】
2018129091.tif 000010
【図９】
2018129091.tif 000011